(57)【要約】  履物用の保持システムが互いに反対側のコンストリクタ及びテンショナを含むのが良く、テンショナは、このテンショナに加えられた引張力に応答して互いに反対側のコンストリクタを互いに向かって押圧するよう構成されている。互いに反対側の第１のアンカと第２のアンカがテンショナから間隔を置いて設けられるのが良い。リテーナが互いに反対側の第１のリテーナカプラと第２のリテーナカプラを含むのが良い。第１のリテーナカプラが第１のアンカに作動的に係合することができると共に第２のリテーナカプラが第２のアンカに作動的に係合することができ、その結果、第１のアンカと第２のアンカのうちの一方又は両方に加えられた引張荷重がリテーナを第１のアンカと第２のアンカのうちの一方又は両方に向かって押圧するようになっている。第１のリテーナカプラ及び第２のリテーナカプラの各々は、テンショナに加えられた引張荷重が第１のリテーナカプラ及び第２のリテーナカプラを押圧して引張状態にし、それによりリテーナを第１のアンカと第２のアンカのうちの一方又は両方に向かって押圧するようテンショナに作動的に係合するのが良い。
2016500299.tif 000002
【特許請求の範囲】
【請求項１】
履物用の保持システムであって、前記保持システムは、
互いに反対側のコンストリクタ及びテンショナを含み、前記テンショナは、該テンショナに加えられた引張力に応答して前記互いに反対側のコンストリクタを互いに向かって押圧するよう構成されており、
前記テンショナから間隔を置いて設けられた互いに反対側の第１のアンカと第２のアンカを含み、
互いに反対側の第１のリテーナカプラと第２のリテーナカプラを有するリテーナを含み、前記第１のリテーナカプラが前記第１のアンカに作動的に係合すると共に前記第２のリテーナカプラが前記第２のアンカに作動的に係合して前記第１のアンカと前記第２のアンカのうちの一方又は両方に加えられた引張荷重が前記リテーナを前記第１のアンカと前記第２のアンカのうちの一方又は両方に向かって押圧するようになっており、前記第１のリテーナカプラ及び前記第２のリテーナカプラの各々は、前記テンショナに加えられた引張荷重が前記第１のリテーナカプラ及び前記第２のリテーナカプラを押圧して引張状態にし、それにより前記リテーナを前記第１のアンカと前記第２のアンカのうちの一方又は両方に向かって押圧するよう前記テンショナに作動的に係合する、保持システム。
【請求項２】
前記互いに反対側のコンストリクタは、互いに反対側の第１のクロージャ要素と第２のクロージャ要素を有し、前記テンショナは、前記第１のクロージャ要素と前記第２のクロージャ要素との間に作動的に延びる締め紐を有し、前記締め紐に加えられた引張荷重が前記第１のクロージャ要素と前記第２のクロージャ要素を互いに向かって押圧するようになっており、
前記互いに反対側の第１及び第２のリテーナカプラは、それぞれ、第１及び第２のストラップセグメントを有し、前記互いに反対側の第１及び第２のアンカは、それぞれ、第１及び第２の有孔部材を有し、前記第１のリテーナと前記第１のアンカとの前記作動的係合は、前記第１のストラップセグメントが前記第１の有孔部材を貫通して延びて前記第１の有孔部材に押し当たる状態を含む、請求項１記載の保持システム。
【請求項３】
前記互いに反対側の第１及び第２のアンカは、それぞれ、第１及び第２の有孔部材を有し、
前記リテーナは、舌部材の一部分を含み、前記互いに反対側の第１及び第２のリテーナカプラは、それぞれ、前記舌部材から前記有孔部材を貫通して外方に延びる第１及び第２のストラップセグメントを有し、
前記第１のリテーナカプラと前記テンショナとの前記作動的係合は、第１のストラップ部材と前記テンショナの第１の摺動可能な係合を含み、前記第２のリテーナカプラと前記テンショナとの前記作動的係合は、第２のストラップ部材と前記テンショナの第２の摺動可能な係合を含む、請求項１記載の保持システム。
【請求項４】
前記第１及び前記第２のクロージャ要素は、それぞれ、第１及び第２のアイ列を有し、前記互いに反対側の第１及び第２のアイ列、前記締め紐、並びに前記第１及び第２のストラップ部分は、前記履物を履いたときにユーザの足に対して前記リテーナの少なくとも一部分の内方に位置決めされる、請求項２記載の保持システム。
【請求項５】
前記互いに反対側のコンストリクタ、前記テンショナ、並びに前記第１及び第２のストラップセグメントは、前記履物を履いたときにユーザの足に対して前記舌部材の内方に位置決めされる、請求項３の記載の保持システム。
【請求項６】
前記互いに反対側のコンストリクタは、ハーネス部材のそれぞれの第１及び第２の互いに反対側のエッジに隣接して位置決めされた互いに反対側の第１及び第２のアイ列を有する、請求項１記載の保持システム。
【請求項７】
前記互いに反対側の第１及び第２のアンカは、前記履物を履いたときに前記第１及び前記第２のリテーナカプラがユーザの足に対して前記履物の内方に位置決めされるよう前記履物に固定的に結合されている、請求項１記載の保持システム。
【請求項８】
前記履物は、外側シェル部材を有し、前記ハーネス部材は、内側ハーネス部材を含み、前記互いに反対側の第１及び第２のアンカは、互いに対向した関係をなして前記外側シェルと前記内側ハーネス部材との間に位置決めされる、請求項１記載の保持システム。
【請求項９】
前記互いに反対側のコンストリクタは、内側クロージャ要素を有し、前記テンショナは、前記履物を履いたときにユーザの足に対して前記リテーナの内方に位置決めされる内側テンショナを含み、前記保持システムは、互いに反対側の外側クロージャ要素及び外側テンショナを更に含み、前記互いに反対側の外側クロージャ要素及び前記外側テンショナの各々は、前記履物を履いたときにユーザの足に対して前記リテーナの外方に位置決めされ、前記外側テンショナは、前記外側テンショナに加えられた引張荷重に応答して前記互いに反対側の外側クロージャ要素を互いに向かって押圧し、それにより前記内側テンショナに加えられた前記引張力の結果として前記ユーザの足に加えられる保持力を補うよう構成されている、請求項１記載の保持システム。
【請求項１０】
前記互いに反対側の外側クロージャ要素は、それぞれ、互いに反対側の第１及び第２の外側アイ列を有し、前記外側テンショナは、前記互いに反対側の第１及び第２の外側アイ列を貫通して作動的に延びる外側締め紐を有し、前記外側締め紐に加えられた引張荷重が前記第１の外側アイ列と前記第２の外側アイ列を互いに向かって押圧するようになっている、請求項９記載の保持システム。
【請求項１１】
前記内側クロージャ要素は、それぞれ、互いに反対側の第１及び第２の内側アイ列を有し、前記内側テンショナは、前記互いに反対側の第１及び第２の内側アイ列を貫通して作動的に延びる内側締め紐を有し、前記内側締め紐に加えられた引張荷重が前記第１の内側アイ列と前記第２の内側アイ列を互いに向かって押圧するようになっており、
前記互いに反対側の第１及び第２のリテーナカプラは、それぞれ、第１及び第２のストラップセグメントを有し、前記互いに反対側の第１及び第２のアンカは、それぞれ、第１及び第２の有孔部材を有し、前記第１のリテーナと前記第１のアンカとの前記作動的係合は、前記第１のストラップセグメントが前記第１の有孔部材を貫通して延びて前記第１の有孔部材に押し当たる状態を含む、請求項９記載の保持システム。
【請求項１２】
前記互いに反対側の第１及び第２のアンカは、それぞれ、第１及び第２の有孔部材を有し、
前記リテーナは、舌部材を有し、前記互いに反対側の第１及び第２のリテーナカプラは、それぞれ、前記舌部材から前記有孔部材を通って外方に延びる第１及び第２のストラップセグメントを有し、
前記第１のリテーナカプラと前記内側テンショナとの前記作動的係合は、前記第１のストラップ部材と前記内側テンショナとの第１の摺動可能な係合を含み、第２のリテーナカプラと前記内側テンショナとの前記作動的係合は、前記第２のストラップ部材と前記内側テンショナとの第２の摺動可能な係合を含む、請求項９記載の保持システム。
【請求項１３】
前記第１及び前記第２のストラップ部分は、前記履物を履いたときにユーザの足に対して前記リテーナの少なくとも一部分の内方に位置決めされる、請求項１１記載の保持システム。
【請求項１４】
前記第１及び前記第２のストラップセグメントは、前記履物を履いたときにユーザの足に対して前記舌部材の内方に位置決めされる、請求項１２記載の保持システム。
【請求項１５】
前記内側クロージャ要素は、内側ハーネス部材の対応の第１及び第２の互いに反対側のエッジに隣接して位置決めされたそれぞれ互いに反対側の第１及び第２の内側アイ列を有し、前記内側ハーネス部材は、前記履物を履いたときにユーザの足に対して前記リテーナの少なくとも一部分の内方に位置決めされる、請求項９記載の保持システム。
【請求項１６】
前記互いに反対側の第１及び第２のアンカは、前記履物を履いたときに前記第１及び前記第２のリテーナカプラがユーザの足に対して前記履物の内方に位置決めされるよう前記履物に固定的に結合されている、請求項９記載の保持システム。
【請求項１７】
前記履物は、外側シェル部材を有し、前記ハーネス部材は、内側ハーネス部材を含み、前記互いに反対側の第１及び第２のアンカは、互いに対向した関係をなして前記外側シェルと前記内側ハーネス部材との間に位置決めされる、請求項９記載の保持システム。
【請求項１８】
外側シェル及び前記外側シェル内に位置決めされた内側ライナを含む履物用の保持システムであって、前記保持システムは、
前記外側シェルと前記内側ライナとの間に位置決めされた互いに反対側の第１の内側クロージャ要素と第２の内側クロージャ要素を含み、
前記互いに反対側の第１の内側クロージャ要素と第２の内側クロージャ要素との間に作動的に延びると共に該第１及び第２の内側クロージャ要素に係合した内側締め紐を含み、前記内側締め紐は、前記内側締め紐に加えられた引張荷重に応答して前記互いに反対側の第１の内側クロージャ要素と前記第２の内側クロージャ要素を互いに向かって押圧するよう構成されており、
前記内側締め紐から間隔を置いて設けられると共に前記内側ライナの外方に位置決めされた互いに反対側の第１のアンカと第２のアンカを含み、
リテーナを含み、前記リテーナは、前記リテーナから外方に延びる互いに反対側の第１のストラップセグメントと第２のストラップセグメントを有し、前記第１のストラップセグメントは、前記第１のアンカを貫通して摺動可能に延び、前記第１のストラップセグメントは、対応の遠位アイレットを有し、前記第２のストラップセグメントは、前記第２のアンカを摺動可能に貫通して延び、前記第２のストラップセグメントは、対応の遠位アイレットを有し、前記内側締め紐は、前記第１のストラップセグメントに対応した前記遠位アイレットを貫通すると共に前記第２のストラップセグメントに対応した前記遠位アイレットを貫通して延び、前記内側締め紐は、前記第１のストラップセグメントに対応した前記遠位アイレットと前記第２のストラップセグメントに対応した前記遠位アイレットを互いに向かって押圧し、それにより前記リテーナを前記互いに反対側の第１及び第２のアンカに向かって押圧するよう構成されており、
前記内側ライナに対して前記リテーナの外方に位置決めされた互いに反対側の第１の外側クロージャ要素と第２の外側クロージャ要素を含み、
前記互いに反対側の第１の外側クロージャ要素と第２のクロージャ要素との間に作動的に延びると共に前記互いに反対側の第１及び第２の外側クロージャ要素に係合して前記互いに反対側の第１の外側クロージャ要素と第２の外側クロージャ要素を互いに向かって押圧するための外側締め紐を含み、前記外側締め紐は、前記外側締め紐に加えられた引張荷重に応答して前記リテーナを前記ライナに向かって内方に押圧するよう構成されている、保持システム。
【請求項１９】
前記外側シェルと前記内側ライナとの間に位置決めされると共に前記内側ライナの周りに少なくとも部分的に延びる内側ハーネスを更に含み、前記互いに反対側の第１及び第２の内側クロージャ要素は、前記内側ハーネスのそれぞれの互いに反対側の第１及び第２のエッジに隣接して位置決めされている、請求項１８記載の保持システム。
【請求項２０】
前記リテーナは、前記履物を履いたときに前記内側ライナの外方で且つ前記互いに反対側の第１及び第２の外側クロージャ要素の内方で少なくとも着用者の足の甲の上に位置するよう構成された舌部材を有する、請求項１８記載の保持システム。
【請求項２１】
前記リテーナは、前記互いに反対側の第１のストラップセグメントと前記第２のストラップセグメントの間に延びる中間ストラップセグメントを有し、前記中間ストラップセグメント、前記互いに反対側の第１及び第２のストラップセグメント、並びに前記互いに反対側の第１及び第２のアンカは、前記第１のストラップセグメントに対応した前記遠位アイレットと前記第２のストラップセグメントに対応した前記遠位アイレットが互いに向かって押し合ったときに前記中間ストラップセグメントを前記内側ライナに向かって内方に押圧するよう協働的に構成されている、請求項１８記載の保持システム。
【請求項２２】
前記リテーナは、前記互いに反対側の第１のストラップセグメントと前記第２のストラップセグメントとの間に延びる中間ストラップセグメントを更に有し、前記中間ストラップセグメントは、前記舌部材に固定的に結合され、前記互いに反対側の第１及び第２のストラップセグメント並びにそれぞれの前記アンカは、前記互いに反対側の第１のストラップセグメントと前記第２のストラップセグメントが互いに向かって押し合っているときに前記舌部材を前記着用者の足の甲に向かって押圧するよう構成されている、請求項２０記載の保持システム。
【請求項２３】
前記互いに反対側の第１及び第２のアンカは、前記外側シェルに対して実質的に固定的に位置決めされたそれぞれの第１及び第２の有孔部材を有する、請求項１８記載の保持システム。
【請求項２４】
前記第１及び前記第２の有孔部材の各々は、アイレット、Ｄリング、又はＯリングから成る、請求項２３記載の保持システム。
【請求項２５】
前記外側シェルは、内張りを有し、前記互いに反対側の第１及び第２のアンカの各々は、前記内張りに縫い付けられたそれぞれのアンカストラップを更に有し、各それぞれのアンカストラップは、それぞれの前記有孔部材とつがい関係をなして係合し、それによりそれぞれの前記有孔部材を前記外側シェルに対して固定的に位置決めするためのアイレットを有する、請求項２３記載の保持システム。
【発明の詳細な説明】
【技術分野】
【０００１】
本明細書において開示する革新技術及び関連内容（ひとまとめに、「本発明」という）は、一般に、履物用の保持又は脱げ防止システムに関し、保持システムは、物品としての履物を履いたときに着用者の足及び／又は下肢に対して履物を保持し又は動かないようにするよう構成され、開示する保持システムの一例が記載される。幾つかの開示する保持システムは、ブーツと着用者の足又は下肢との相対運動（例えば、滑動又は昇降運動）が望ましくないスポーツにおいて使用できるようスポーツ用ブーツを着用者の足及び下肢に固定するのに特に適しているが、これが全てではない。例えば、幾つかの開示する保持システムは、１つには足を中敷き中に押し込むと同時に踵（かかと）をヒール（ヒールカップ）内に押し込むよう構成されたクロージャシステムを提供することによって、雪上スポーツ又はスケートスポーツ用のブーツを着用者の足及び下肢に対して保持するよう構成されている。かかるスポーツにおいて、開示する保持システムによって提供されるブーツと着用者の足及び下肢との相対運動を減少させ又はなくすことにより、ブーツと着用者の足及び下肢との間における力の伝達具合を向上させることができる。
【０００２】
〔関連出願の説明〕
本願は、２０１２年１２月１４日に出願された米国特許仮出願第６１／７３７，７００号の権益及び優先権主張出願であり、この米国特許仮出願を参照により引用し、全ての目的についてその記載内容全体を本明細書の一部とする。
【背景技術】
【０００３】
ブーツのインステップ（足の甲に対応する部分）上に位置決めされる「カムオーバー（cam-over）」型のクランプを含むシステムが剛性のスキー用ブーツ向きに提案された。引っ込み可能なクランプは、剛性シェルを着用者の足周りに絞り又は締め付け、足を中敷きに対して下方に且つ剛性シェルが中敷きに平行ではない可能性のある程度まで且つヒール領域中に後方に中敷きに押し付ける。かかるブーツは、硬質プラスチック部品で作られており、かかるブーツは、剛性シェルを着用者の足周りに絞り又は締め付けるよう引っ張り又は引き締めケーブルを引き回すための特別に成形された特徴部を有するのが良い。しかしながら、かかるブーツは、ケーブル張力の容易且つ正確な調整を可能にしない場合がある。剛性シェル型ブーツ中へのかかるシステムの組み込みは又、製造上の課題をもたらす場合があり、しかもコスト高である場合がある。
【０００４】
スノーボード用ブーツのシェルは、スキー用ブーツの剛性シェルとは対照的に、典型的には、互いに反対側に間隔を置いて位置するエッジ及び比較的低い剛性を有する。舌部（場合によっては、「舌革」とも呼ばれる）が通常、シェルの互いに反対側のエッジ相互間に且つ／或いはこれらエッジの後ろに位置決めされる。かかるブーツでは、シェルの互いに反対側のエッジを互いに引き寄せ、シェルを着用者の足及び下肢周りに絞り又は締め付けるよう締め紐又はケーブル利用クロージャシステムが用いられる場合がある。ケーブルシステムを成形された硬質シェル型スキー用ブーツから比較的可撓性のあるスノーボード用ブーツに組み込むと共に引き回すことは、１つには、スノーボード用ブーツシェルの間隔を置いて位置するエッジが一般に、かかるクロージャシステムと適合しないので、困難であることが判明した。
【０００５】
米国特許第７，８１８，８９９号（以下、単に「第´８９９号特許」という）明細書では、インステップ力を履物内に位置した着用者の足の甲部分に加えるための履物引き締め又はテンショニングシステムが提案された。第´８９９号特許明細書では、物品としての履物は、外側部材、内側の内張り、インステップ及び締め紐を有する。外側部材は、履物の外面を定め、内側内張りは、外側部材内に位置決めされる。インステップ部材は、内側内張りのインステップ部分を横切り、締め紐は、中敷きに隣接して配置されると共にインステップ部材に結合されたアンカを通って引き回され、その結果、締め紐に加えられた張力がインステップ部材を中敷きに向かって下方に且つヒールカップに向かって後方に引くようになっている。しかしながら、第´８９９号特許明細書に記載されたシステムは、履物の外側シェルを着用者の足周りに絞り又は締め付け又はそうでなければ着用者の下肢に対する履物を動かないようにし又は履物の動きを阻止するよう構成されてはいない。
【先行技術文献】
【特許文献】
【０００６】
【特許文献１】米国特許第７，８１８，８９９号明細書
【発明の概要】
【発明が解決しようとする課題】
【０００７】
上述の内容は、先行技術及び必要な改造例の欠点を網羅的に列記したものではなく、例示であるに過ぎない。先行技術における上述の欠点及び記載していない欠点を考慮して、改良型履物保持システムが強く要望され続けている。
【課題を解決するための手段】
【０００８】
本明細書において開示される本発明は、先行技術の１つ又は２つ以上の問題を解決すると共に上述の要望又は他の要望のうちの１つ又は２つ以上に取り組み、一般に、履物保持システムに関する。例えば、履物用の保持システムは、互いに反対側のコンストリクタ及びテンショナを含むのが良く、テンショナは、このテンショナに加えられた引張力に応答して互いに反対側のコンストリクタを互いに向かって押圧するよう構成され、保持システムは、テンショナから間隔を置いて設けられた互いに反対側の第１のアンカと第２のアンカを更に含む。リテーナが互いに反対側の第１のリテーナカプラと第２のリテーナカプラを含むのが良い。第１のリテーナカプラが第１のアンカに作動的に係合することができると共に第２のリテーナカプラが第２のアンカに作動的に係合することができ、その結果、第１のアンカと第２のアンカのうちの一方又は両方に加えられた引張荷重がリテーナを第１のアンカと第２のアンカのうちの一方又は両方に向かって押圧するようになっている。第１のリテーナカプラ及び第２のリテーナカプラの各々は、テンショナに加えられた引張荷重が第１のリテーナカプラ及び第２のリテーナカプラを押圧して引張状態にし、それによりリテーナを第１のアンカと第２のアンカのうちの一方又は両方に向かって押圧するようテンショナに作動的に係合するのが良い。
【０００９】
幾つかの場合、互いに反対側のコンストリクタは、互いに反対側の第１のクロージャ要素と第２のクロージャ要素を有するのが良い。テンショナは、第１のクロージャ要素と第２のクロージャ要素との間に作動的に延びる締め紐を有するのが良く、締め紐に加えられた引張荷重が第１のクロージャ要素と第２のクロージャ要素を互いに向かって押圧するようになっている。互いに反対側の第１及び第２のリテーナカプラは、それぞれ、第１及び第２のストラップセグメントを有するのが良い。互いに反対側の第１及び第２のアンカは、それぞれ、第１及び第２の有孔部材を有するのが良い。第１のリテーナと第１のアンカとの作動的係合は、第１のストラップセグメントが第１の有孔部材を貫通して延びて第１の有孔部材に押し当たる状態を含む。
【００１０】
他の場合、互いに反対側の第１及び第２のアンカは、それぞれ、第１及び第２の有孔部材を有するのが良く、リテーナは、舌部材の一部分を含むのが良い。互いに反対側の第１及び第２のリテーナカプラは、それぞれ、舌部材から有孔部材を貫通して外方に延びる第１及び第２のストラップセグメントを有するのが良い。第１のリテーナカプラとテンショナとの作動的係合は、第１のストラップ部材とテンショナの第１の摺動可能な係合を含むのが良く、第２のリテーナカプラとテンショナとの作動的係合は、第２のストラップ部材とテンショナの第２の摺動可能な係合を含むのが良い。
【００１１】
幾つかの場合、第１及び第２のクロージャ要素は、それぞれ、第１及び第２のアイ列を有するのが良い。互いに反対側の第１及び第２のアイ列、締め紐、並びに第１及び第２のストラップ部分は、履物を履いたときにユーザの足に対してリテーナの少なくとも一部分の内方に位置決めされるのが良い。
【００１２】
互いに反対側のコンストリクタ、テンショナ、並びに第１及び第２のストラップセグメントは、履物を履いたときにユーザの足に対して舌部材の内方に位置決めされるのが良い。
【００１３】
互いに反対側のコンストリクタは、ハーネス部材のそれぞれの第１及び第２の互いに反対側のエッジに隣接して位置決めされた互いに反対側の第１及び第２のアイ列を有するのが良い。互いに反対側の第１及び第２の記載のアンカは、履物を履いたときに第１及び第２のリテーナカプラがユーザの足に対して履物の内方に位置決めされるよう履物に固定的に結合されるのが良い。
【００１４】
履物は、外側シェル部材を有するのが良く、ハーネス部材は、内側ハーネス部材を含むのが良い。互いに反対側の第１及び第２のアンカは、互いに対向した関係をなして外側シェルと内側ハーネス部材との間に位置決めされるのが良い。
【００１５】
互いに反対側のコンストリクタは、内側クロージャ要素を有するのが良く、テンショナは、履物を履いたときにユーザの足に対してリテーナの内方に位置決めされる内側テンショナを含むのが良い。かかる保持システムは、互いに反対側の外側クロージャ要素及び外側テンショナを更に含むのが良い。互いに反対側の外側クロージャ要素及び外側テンショナの各々は、履物を履いたときにユーザの足に対してリテーナの外方に位置決めされるのが良い。外側テンショナは、外側テンショナに加えられた引張荷重に応答して互いに反対側の外側クロージャ要素を互いに向かって押圧し、それにより内側テンショナに加えられた引張力の結果としてユーザの足に加えられる保持力を補うよう構成されるのが良い。
【００１６】
互いに反対側の外側クロージャ要素は、それぞれ、互いに反対側の第１及び第２の外側アイ列を有するのが良く、外側テンショナは、互いに反対側の第１及び第２の外側アイ列を貫通して作動的に延びる外側締め紐を有するのが良く、外側締め紐に加えられた引張荷重が第１の外側アイ列と第２の外側アイ列を互いに向かって押圧するようになっている。
【００１７】
内側クロージャ要素は、それぞれ、互いに反対側の第１及び第２の内側アイ列を有するのが良く、内側テンショナは、互いに反対側の第１及び第２の内側アイ列を貫通して作動的に延びる内側締め紐を有するのが良く、その結果、内側締め紐に加えられた引張荷重が第１の内側アイ列と第２の内側アイ列を互いに向かって押圧するようになっている。互いに反対側の第１及び第２のリテーナカプラは、それぞれ、第１及び第２のストラップセグメントを有するのが良く、互いに反対側の第１及び第２のアンカは、それぞれ、第１及び第２の有孔部材を有するのが良い。第１のリテーナと第１のアンカとの作動的係合は、第１のストラップセグメントが第１の有孔部材を貫通して延びて第１の有孔部材に押し当たる状態を含むのが良い。
【００１８】
他の場合、互いに反対側の第１及び第２のアンカは、それぞれ、第１及び第２の有孔部材を有するのが良い。リテーナは、舌部材を有するのが良く、互いに反対側の第１及び第２のリテーナカプラは、舌部材から有孔部材を通って外方に延びる第１及び第２のストラップセグメントを有するのが良い。第１のリテーナカプラと内側テンショナとの作動的係合は、第１のストラップ部材と内側テンショナとの摺動可能な係合を含むのが良く、第２のリテーナカプラと内側テンショナとの作動的係合は、第２のストラップ部材と内側テンショナとの第２の摺動可能な係合を含むのが良い。第１及び第２のストラップ部分は、履物を履いたときにユーザの足に対してリテーナの少なくとも一部分の内方に位置決めされるのが良い。第１及び第２のストラップセグメントは、履物を履いたときにユーザの足に対して舌部材の内方に位置決めされるのが良い。
【００１９】
他の場合、内側クロージャ要素は、内側ハーネス部材の対応の第１及び第２の互いに反対側のエッジに隣接して位置決めされたそれぞれ互いに反対側の第１及び第２の内側アイ列を有するのが良い。内側ハーネス部材は、履物を履いたときにユーザの足に対してリテーナの少なくとも一部分の内方に位置決めされるのが良い。
【００２０】
互いに反対側の第１及び第２の記載のアンカは、履物を履いたときに第１及び第２のリテーナカプラがユーザの足に対して履物の内方に位置決めされるよう履物に固定的に結合されるのが良い。
【００２１】
履物は、外側シェル部材を有するのが良く、ハーネス部材は、内側ハーネス部材を含むのが良い。互いに反対側の第１及び第２のアンカは、互いに対向した関係をなして外側シェルと内側ハーネス部材との間に位置決めされるのが良い。
【００２２】
別の観点では、外側シェル及び外側シェル内に位置決めされた内側ライナを含む履物用の保持システムが開示される。保持システムは、外側シェルと内側ライナとの間に位置決めされた互いに反対側の第１の内側クロージャ要素と第２の内側クロージャ要素を含むのが良い。内側締め紐が互いに反対側の第１の内側クロージャ要素と第２の内側クロージャ要素との間に作動的に延びると共にかかる第１及び第２の内側クロージャ要素に係合するのが良い。内側締め紐は、内側締め紐に加えられた引張荷重に応答して互いに反対側の第１の内側クロージャ要素と第２の内側クロージャ要素を互いに向かって押圧するよう構成されるのが良い。互いに反対側の第１のアンカと第２のアンカが内側締め紐から間隔を置いて設けられると共に内側ライナの外方に位置決めされるのが良い。リテーナがこのリテーナから外方に延びる互いに反対側の第１のストラップセグメントと第２のストラップセグメントを有するのが良い。第１のストラップセグメントは、第１のアンカを貫通して摺動可能に延びるのが良く、第１のストラップセグメントは、対応の遠位アイレットを有するのが良い。第２のストラップセグメントは、第２のアンカを摺動可能に貫通して延びるのが良く、第２のストラップセグメントは、対応の遠位アイレットを有するのが良い。内側締め紐は、第１のストラップセグメントに対応した遠位アイレットを貫通すると共に第２のストラップセグメントに対応した遠位アイレットを貫通して延びるのが良く、内側締め紐は、第１のストラップセグメントに対応した遠位アイレットと第２のストラップセグメントに対応した遠位アイレットを互いに向かって押圧し、それによりリテーナを互いに反対側の第１及び第２のアンカに向かって押圧するよう構成されている。互いに反対側の第１の外側クロージャ要素と第２の外側クロージャ要素が内側ライナに対してリテーナの外方に位置決めされるのが良い。外側締め紐が互いに反対側の第１の外側クロージャ要素と第２のクロージャ要素との間に作動的に延びると共に互いに反対側の第１及び第２の外側クロージャ要素に係合して互いに反対側の第１の外側クロージャ要素と第２の外側クロージャ要素を互いに向かって押圧するのが良く、外側締め紐は、外側締め紐に加えられた引張荷重に応答してリテーナをライナに向かって内方に押圧するよう構成される。
【００２３】
内側ハーネスが外側シェルと内側ライナとの間に位置決めされると共に内側ライナの周りに少なくとも部分的に延びるのが良い。互いに反対側の第１及び第２の内側クロージャ要素は、内側ハーネスのそれぞれの互いに反対側の第１及び第２のエッジに隣接して位置決めされるのが良い。
【００２４】
リテーナは、履物を履いたときに内側ライナの外方で且つ互いに反対側の第１及び第２の外側クロージャ要素の内方で少なくとも着用者の足の甲の上に位置するよう構成された舌部材を有するのが良い。リテーナは、互いに反対側の第１のストラップセグメントと第２のストラップセグメントの間に延びる中間ストラップセグメントを有するのが良い。中間ストラップセグメント、互いに反対側の第１及び第２のストラップセグメント、並びに互いに反対側の第１及び第２のアンカは、第１のストラップセグメントに対応した遠位アイレットと第２のストラップセグメントに対応した遠位アイレットが互いに向かって押し合ったときに中間ストラップセグメントを内側ライナに向かって内方に押圧するよう協働的に構成されるのが良い。
【００２５】
リテーナは、互いに反対側の第１のストラップセグメントと第２のストラップセグメントとの間に延びる中間ストラップセグメントを更に有するのが良い。中間ストラップセグメントは、舌部材に固定的に結合されるのが良い。互いに反対側の第１及び第２のストラップセグメント並びにそれぞれのアンカは、互いに反対側の第１のストラップセグメントと第２のストラップセグメントが互いに向かって押し合っているときに舌部材を着用者の足の甲に向かって押圧するよう構成されるのが良い。
【００２６】
互いに反対側の第１及び第２のアンカは、外側シェルに対して実質的に固定的に位置決めされたそれぞれの第１及び第２の有孔部材を有するのが良い。第１及び第２の有孔部材の各々は、アイレット、Ｄリング、又はＯリングから成るのが良い。外側シェルは、内張りを有するのが良く、互いに反対側の第１及び第２のアンカの各々は、内張りに縫い付けられたそれぞれのアンカストラップを更に有するのが良い。それぞれのアンカストラップは各々、それぞれの有孔部材とつがい関係をなして係合し、それによりそれぞれの有孔部材を外側シェルに対して固定的に位置決めするためのアイレットを有するのが良い。
【００２７】
本発明の他の新規な観点は、以下の詳細な説明（及び添付の図面）を検討することにより当業者には容易に明らかになり、開示する本発明の種々の実施形態が例示的に図示されると共に説明される。理解されるように、開示する本発明を組み込んだ他の実施形態及び異なる実施形態としてのシステムが可能であり、幾つかの開示する細部は、種々の点で改造可能であり、これらは全て、本明細書において開示する原理の精神及び範囲から逸脱しない。例えば、添付の図面と関連して以下に説明する詳細な説明は、開示する本発明の実施形態に関するものであり、本発明者によって想定された実施形態だけに関するものではない。これとは異なり、詳細な説明は、本明細書において開示する原理の十分な理解を提供する目的で特定の細部を含む。したがって、図面及び詳細な説明は、性質上例示として解されるべきであり、性質上本発明を限定するものと解されてはならない。
【００２８】
別段の指定がなければ、添付の図面（図全体にわたり、同一の符号は、同一の特徴を示している）は、本明細書において説明する本発明の保護対象の観点を示している。
【図面の簡単な説明】
【００２９】
【図１】ゆるめられた形態にある本発明の保持システムを有するブーツの前の且つこれに対して外側の位置から見た等角図である。
【図２】図１に示されているように構成されたブーツの側面図である。
【図３】図２に示されているように構成されたブーツ及び保持システムの側面図であり、外側シェル中に挿入された内側ライナを示すよう外側シェルの一部分を半透明にした状態で示す図である。
【図４】図２及び図３に示されたブーツ及び保持システムの側面図であり、保持システムが締め付けられた形態で示され、外側シェルが内側ライナ及び保持システムを示すよう半透明で示されている図である。
【図５】本明細書において開示する形式の本発明の新規な保持システムを有するブーツの実働実施形態の上且つ前から見た写真図であり、図１、図２、図３及び図４に示された実施形態とは異なり、図５に示された実働実施形態が内側ハーネス本体を含んでいる状態を示す図である。
【図６】着用されている状態の図５に示された開示対象の履物の実働実施形態をユーザから見た別の写真図であり、保持システムが部分的に締め付けられているが、完全には締め付けられていない状態を示す図である。
【図７】図６に示された履物と類似した履物の実働実施形態の断面側面図の写真図であり、保持システム及び内側ハーネスの特徴を示している図である。
【図８】図７に示された実働実施形態の断面の一部分の写真図であり、内側ハーネスの一部分及び保持システムの特徴部が図７には示されていない特徴を示すよう操作された状態を示す図である。
【図９】図２、図３及び図４に示された履物と類似した履物の実働実施形態の断面側面図の写真図であり、保持システムの特徴を示している図である。
【図１０】図９に示された形式の完全な実働型実施形態の上から見た写真図である。
【図１１】着用されている図１０に示された履物の実働実施形態のユーザから見た写真図である。
【発明を実施するための形態】
【００３０】
以下の説明は、履物保持システムに関する種々の原理に関しており、スノーボード用ブーツのための保持システムが本明細書において開示する新規な保持システムの一例であるが、特定の一保持システムである（しかしながら、これが全てではない）。原理のうちの１つ又は２つ以上は、種々の保持システムの特徴のうちの任意のものを達成するよう種々の保持システム形態に組み込み可能である。特定のブーツ形態、用途、又は使用に関して説明する保持システムは、本明細書において開示する新規な原理を組み込んだ保持システムの例であるに過ぎず、開示する原理の１つ又は２つ以上の新規な観点を示すために用いられる。
【００３１】
概観
【００３２】
例示の目的のため、本発明を具体化することができる代表的なブーツとしてスノーボード用ブーツが用いられる。以下の説明から、当業者であれば、本発明をどのようにすればブーツ及び履物の他の形態で具体化できるかということは理解されよう。
【００３３】
図１は、新規な保持システム２０を有する履物１０の幾つかの観点を示している。保持システム２０は、着用者の足及び／又は下肢周りに履物の一部分を閉じ、履物１０を着用者の足及び／又は下肢に対して保持し又は動かないようにするよう構成されている。保持システム２０は、ブーツと着用者の足又は下肢との相対運動（例えば、滑動又は昇降運動）が望ましくないスポーツにおいて使用できるようスポーツ用ブーツを着用者の足及び下肢に固定するのに特に適しているが、これが全てではない。
【００３４】
図１に示されたブーツ１０は、外側（アウター）シェル１２及び嵌合係合関係をなして外側シェル内に位置決めされた内側（インナー）ライナ１３を有している。外側シェル１２は、互いに反対側に間隔を置いて位置したエッジ１４を備えている。シェル１２の舌部１６は、エッジ１４相互間に位置決めされるのが良く、この舌部は、着用者の足の甲及び着用者の下肢の一部分をライナ舌部１７の外方に覆うことができる。舌部１６は、シェル１２の一部をなすことができ又はブーツ内の別の構造部材、例えばソール又はストロベル（strobel ）に結合可能である。
【００３５】
シェル１２の舌部１６と同様に、ライナ舌部１７は、ライナ１３の互いに反対側の間隔を置いて位置するエッジ１５相互間に位置決めされるのが良い。シェル１２とライナ１３は、ライナ内に着用者の足及び下肢（図示せず）を受け入れるよう相補的に構成されている（例えば、図１１を参照されたい）。
【００３６】
図１に示されている履物の実施形態では、保持システム２０は、シェル１２の内方に且つ互いに反対側に位置するエッジ１４とそれぞれ隣接して位置する互いに反対側の第１及び第２のクロージャ要素（幾つかの場合においては、内側アイ列がクロージャ要素を構成することができる）を交互に貫通して延びる締め紐２１を含む。互いに反対側に位置する内側クロージャ要素の各々は、これに対応した複数個のアイレット２３ｂ，２３ｂ′を有している。
【００３７】
保持システム２０は、締め紐２１から間隔を置いて位置すると共に内側ライナ１３の外方に且つシェル１２の内方に位置決めされた互いに反対側の第１及び第２のアンカ２３を更に含む。互いに反対側の第１及び第２のストラップセグメント２２ａが舌部１６から、例えば、舌部のエッジ１８から外方に延びている。図１に示されているように、ストラップセグメント２２ａは、アンカ２３のうちの対応のアンカを摺動可能に貫通して延びるのが良い。ストラップセグメント２２ａは、対応の遠位アイレット２５を有するのが良く、締め紐２１は、この遠位アイレットを貫通して摺動可能に延びている。ストラップセグメント２２ａの一部分２２ｂは、アンカ２３を通過した後、ストラップセグメント２２ａに対して平行ではない方向に延びるのが良く、それによりストラップ２２ａ，２２ｂの張力が合力をセグメント２２ａにもセグメント２３ａにも平行ではない方向にアンカ２３に加えることができる。
【００３８】
締め紐２１を引き締め又はこれに張力を加えることにより、第１の内側クロージャ要素と第２の内側クロージャ要素を例えば図２及び図３に示されているように互いに向かって押圧することができる。加うるに、締め紐２１を引き締めることにより、ストラップセグメント２２ａの互いに反対側の遠位アイレット２５を互いに引き寄せることができ、それにより互いに反対側に位置するストラップセグメント２２ａのうちの一方又は両方が引張状態にされる。ストラップセグメント２２ａのかかる張力は、ストラップセグメントを押圧してこれをアンカ２３に通すことができ、そして舌部１６の少なくとも一部分をアンカ２３に向かって引き寄せ、それにより舌部１６は、内側ライナ１３、ライナ舌部１７、又はこれら両方に押し当たり、下向き且つ後ろ向きの力を舌部とアンカとの間でストラップセグメント２２ａに全体として平行な方向で着用者の足（図示せず）に加え、着用者の足を中敷きに向かって下方に且つヒール領域１９に向かって後方に押圧する傾向がある。ヒール領域１９は、ヒールカップを含むのが良い。
【００３９】
幾つかの実施形態では、シェル１２は、一例として図５に示されているように互いに反対側のエッジ１４の各々に隣接して位置決めされた外側アイ列を有する。外側締め紐（図示せず）が互いに反対側に位置する第１及び第２の外側アイ列を交互に通って延びるのが良い。外側締め紐を引き締めることにより、シェルの互いに反対側の第１及び第２の外側アイ列を互いに向かって押圧することができ、それにより舌部１６をライナ舌部１７に向かって内方に押圧し、張力が加えられたストラップセグメント２２ａにより舌部に加えられる下向き且つ後ろ向きの力を補足する。閉鎖状態のブーツ１０の代表的な例が図４に示されている。
【００４０】
外側シェル及び内側ライナ
【００４１】
スノーボード用ブーツ１０が代表的にはシェル１２を有している。シェル１２は、代表的には、材料の組み合わせ、例えば皮革のシート又は層、織布又は不織布、及びプラスチック及びゴムのうちの１つ又は２つ以上で作られた半剛性構造部材である。シェルのうちの何割か又は全ては、成形プラスチック又はゴムで作られても良い。
【００４２】
ブーツは、内側ライナ１６を有するのが良く、この内側ライナ１６は、通常、取り外し可能なブーティであるが、内側ライナ１６は、シェル１２中に内蔵されても良い。ユーザの足の底部を受け入れる中敷きは、ブーツの一部であり、この中敷きは、ライナ材料内に形成されても良く、或いは、別個の構造部材であっても良い。ブーツは、着用者の足のかかと周りを包むと共に受け入れるヒール領域１９を更に有する。ヒール領域１９（例えば、ヒールカップ）は、代表的には、ライナ１６内に形成される。図示の代表的なブーツ実施形態では、シェル１２の互いに反対側のエッジ１４は、互いに間隔を置いて位置し、これらエッジ相互間には舌部１６が差し込まれた状態で設けられている。
【００４３】
外側シェルは、ユーザの足の甲から上方に足首を覆い、そして下肢部分周りに延びる上側部分を有する。シェル１２は、足の甲及びかかとの全体的領域を包囲した近位足エンクロージャ部分及び足の中間部及び足の前方部の頂部及び側部を包囲する遠位部分を更に有する。
【００４４】
ブーツ１０は、シェル１２につながり又はこれと一体であり、且つユーザの足の底部を覆うソールを有する。ソールは、ゴム、ＥＶＡ、ＰＵ及び他の公知のミッドソール及びアウトソール材料のうちの１つ又は組み合わせ状態で作られる場合がある。シェルとソールは、ボード釣り込みを含む任意公知の又は開発される技術を用いて一緒に釣り込み成形可能である。
【００４５】
スノーボード用ブーツの外側シェル１２は、比較的剛性であり且つ頑丈な材料、例えば皮革（例えば、天然皮革、合成皮革、又はこれら両方）及び半硬質又は硬質プラスチック、ゴム、又は他のかかる材料で構成される。シェルは、代表的には、ユーザの足にクッション作用、快適さ及び断熱作用を提供する厚い組をなす材料で構成された内側ライナを有するのが良い。例えば、ライナは、発泡ポリウレタンＰＵ又はエチルビニルアセテートＥＶＡ材料のコアと布地又は織物の外側及び内側の内張りで作られるのが良い。内側ライナは又、別個の取り外し可能なコンポーネント１３、例えばブーティであっても良い。ブーツの舌部又は舌部領域１６は、成形されるのが良く、或いは、シェルと同様に形成されても良い。ライナは、ライナ舌部１７を更に有するのが良い。ライナ舌部は、ライナの構成と同様な構成を有するのが良い。
【００４６】
ブーツ１０は、所期の着用者の足関節の位置の側方外方に且つ全体としてこれに対応した屈曲ゾーンを有する。足関節は、足と下肢との間の蝶番関節である。距骨（くるぶしの骨）と呼ばれる足の最も上に位置する骨が脛骨（すねの骨）及び腓骨の下端部によって形成された２つの骨隆起相互間に位置する。ブーツを所期の着用者の足首の蝶番関節の領域周りに絞り又は締め付けることによって、保持システムは、着用者の足及び下肢上でブーツを動かなくすることができ、正確且つ制御された屈曲及び例えばスノーボードへの動力の伝達を可能にする。
【００４７】
オプションとしての内側ハーネス本体
【００４８】
図１に示されているブーツ１０とは異なり、図５に示された作業用ブーツとしての実施形態は、外側シェル内に位置決めされた内側ハーネス本体３０を有している。かかるハーネス本体は、図５に示されている作業環境と例えば図１０に示されている作業環境を比較することによって示されるようにオプションであって、又、不要である。図６に示されているように、内側ハーネス本体３０は、図１〜図４に概略的に示されると共に図１〜図４を参照して説明した形式の内側ライナ１３を覆うよう構成されるのが良い。
【００４９】
図５〜図８に示されているように、それぞれ互いに反対側の第１及び第２のクロージャ要素（本明細書では、「コンストリクタ」という場合がある）を構成する互いに反対側の複数個のアイレット２３ａが内側ハーネス本体３０から延びるのが良い。締め紐２１を引き締めることにより、例えば図５及び図６に示されているようにハーネス及びかくしてハーネス３０の互いに反対側のエッジから延びる第１の内側クロージャ要素と第２の内側クロージャ要素を互いに向かって押圧することができる。
【００５０】
保持システム実施形態
【００５１】
一般に、新規な保持システム１２は、ブーツ１０の１つ又は２つ以上の部分を着用者の箇所及び／又は足周りに絞り又は締め付けるよう構成されたクロージャを含むのが良い。例えば、スノーボード用ブーツのためのありふれたクロージャシステムは、互いに反対側のコンストリクタ（又はクロージャ要素）及びテンショナを含む場合があり、テンショナ、互いに反対側のコンストリクタをテンショナに加えられた引張力に応答して互いに向かって押圧するよう構成されている。
【００５２】
本明細書で用いられる「コンストリクタ」という用語は、物品としての履物の一部分を着用者の足、足首、及び／又は下肢の対応の部分周りに絞り又は締め付けるよう構成された任意の構造体又は部材を意味している。
【００５３】
本明細書で用いられる「テンショナ」という用語は、引張荷重下に置かれたときに物品としての履物の一部分に押し当たるよう構成された任意の構造体又は部材を意味している。
【００５４】
幾つかの代表的な実施形態では、テンショナは、締め紐２１として構成され、互いに反対側のコンストリクタは、締め紐に摺動自在に係合するよう構成されている。しかしながら、一例として、互いに反対側のコンストリクタは、図１〜図６に示されているように複数個のアイレット２３ｂをそれぞれ有する互いに反対側のアイ列を有するのが良い。アイレット２３ｂ，２３ｂ′は、履物の一部分（例えば、ライナ、シェル、ハーネス本体）に固定的に結合されるのが良い。一例として、遠位アイレット２３ｂを備えたストラップ２３ａをシェルの内側ライナ（図１０）又は内側ハーネス３０（図５）に縫い付けるのが良い。
【００５５】
他形式のコンストリクタの採用が可能である。例えば、コンストリクタの中には、シェル１２、内側ライナ１３又はオプションとしての内側ハーネス本体３０に固定的に取り付けられたフックとして構成されているものがある。コンストリクタの中には、ラッチ、有孔リングを貫通して延びる面ファスナ等を含むのがある。
【００５６】
新規な保持システムは、ブーツ１０を履いたときに所期の着用者の足の甲の上に位置するよう構成されたリテーナ１８ａ（図１）を更に含むのが良い。幾つかの場合、リテーナ１８ａは、舌部１６の一部分を構成する。互いに反対側に位置した第１及び第２のリテーナカプラ２２ａ，２２ｂ（図２）がリテーナ１８ａから外方に延びるのが良い。リテーナ１８ａは、リテーナカプラ２２ａと固定的に結合されるのが良く又はこれと一体であるのが良い。例えば、リテーナ１８ａは、舌部１６に縫い付けられ、リベット止めされ、又は違ったやり方で固定的に取り付けられ或いは舌部１６と一体にされた織物、皮革又は他の適当な材料のストラップを含むのが良い。
【００５７】
幾つかの場合、リテーナ１８ａは、互いに反対側の外方に延びる第１及び第２のリテーナカプラ２２ａの近位端部相互間に延びる中間ストラップ（図１）として構成されている。一例として、中間ストラップは、ストラップの互いに反対側の端部のところに位置決めされたアイレット２５相互間に延びる連続ストラップの中間セグメントを構成するのが良い。換言すると、中間ストラップは、連続ストラップと一体の構造を形成することができ、かくして連続ストラップの中間セグメントであるのが良い。他の実施形態では、中間ストラップは、外方に延びるリテーナカプラとは独立した構造部材を構成しても良い。例えば、舌部１６の一部分がリテーナ１８ａを構成することができる。
【００５８】
クロージャ及びリテーナに加えて、新規な保持システム１２は、テンショナから間隔を置いて位置した互いに反対側の第１及び第２のアンカ２３を含むのが良い。アンカ２３により、リテーナカプラ２３ａはリテーナとクロージャを互いに作動的に結合することができる。図示の実施形態では、アンカ２３により、引張部材（例えば、柔軟性ストラップ）が曲がることができ、かくして引張部材に沿って加えられた引張力が引張部材に平行ではなく合力としての方向にブーツ１０の１つ又は２つ以上の部分に作用することができる。例えば、図２では、引張部材２２ａは、リング２３を貫通して延びてこのリング周りに曲がり、それによりリングの互いに反対側に位置した引張部材のセグメント２３ａ，２３ｂが互いに対して鋭角をなす。引張部材（例えば、柔軟性ストラップ又は締め紐）に加えられる引張力の方向は、引張部材の長手方向軸線に平行なので、引張部材２２ａに加わる引張力は、引張部材に平行である。
【００５９】
アンカ２３と舌部１６のエッジ１８との間に延びる引張部材２２ａのセグメントに加わっている引張力は、セグメントに沿って働く。同様に、図２に示されているようにアンカ２３と締め紐２１（例えば、アイレット２５）との間に延びる引張部材２２ｂのセグメントに加わっている引張力は、セグメントに沿って働く。引張部材２２ａ，２２ｂが互いに対して鋭角をなすので、部材２２ａ，２２ｂによってアンカ２３に加えられる合力としてのベクトルは、部材２２ａにも部材２２ｂにも平行ではない。それにもかかわらず、テンショナ（例えば、締め紐２１）及びアンカ２３は、部材２３ｂを引張状態にする。引張力（ストラップとアンカ２３との間に働く摩擦力の正味分）は、引き続き部材２２ａに加わり、それにより舌部１６をアンカ２３の方へ押圧する（例えば、部材２２ａに平行に）。別の図で見ると、アンカ２３を締め紐２１及び舌部１６のエッジ１８から互いに間隔を置いた関係をなして配置することにより、舌部が締め紐２１の引き締めに応答して所望の方向に（例えば、セグメント２２ａに平行に）下方且つ後方に引くことができる。
【００６０】
幾つかの場合、本明細書に開示する形式の保持システムにより、舌部１６は、着用者の距骨とかかと突起との間の線に全体として平行な方向に着用者の足を下方且つ後方に押圧することができる。アンカ２３とリテーナとアイレット２５の相対配置は、リテーナが着用者の足及び／又は下肢をブーツに対して所定の下方且つ後方の方向に押圧するよう選択されるのが良い。
【００６１】
適当なアンカ２３は、細長いリテーナカプラ、例えば、ストラップ２２ａ，２２ｂに摺動可能に係合し又はこれに転動的に押し当たるよう構成されるのが良い。添付の図面に示されているように、アンカ２３は、好ましくは、ストラップ２２ａ，２２ｂについて選択された材料に対して比較的低い摩擦係数を有するＤリング又はＯリング（又は他の有孔部材）として構成されるのが良い。変形例として、アンカ２３は、細長い部材（例えば、締め紐、ケーブル、ロープ、ストラップ）に転動的に係合するよう構成された適当なピボット装置として構成されても良い。例えば、適当なアンカは、ローラ、溝車、プーリ等として構成されても良い。
【００６２】
アンカ２３は、内側ライナ１３とシェル１２の内面（例えば、内張り１２ａ）との間に位置決めされるのが良い。アンカ２３は、ブーツに対して固定的に結合されるのが良い。例えば、アンカ２３は、例えばストラップ２４ａをブーツ１０の選択された部分に縫い付けることによって、内側ハーネス３０（図５）又はシェルの内張り１２ａ（図１０）に取り付けられるのが良い。対応のリテーナカプラ（例えば、ストラップ２２ａ，２２ｂ）をシェル１２の内方に位置決めするのが良い。
【００６３】
上述のクロージャシステム（例えば、内側クロージャシステム）に加えて、幾つかの開示したブーツ１０は、内側クロージャシステムに起因して生じる絞り（締め付け）及び／又は保持力を補足するよう構成された外側クロージャシステムを有する。例えば、外側シェル１２の互いに反対側のエッジ１４は、少なくとも部分的に、舌部１６及び幾つかの場合においてはリテーナ１８の少なくとも一部分の上に位置してこれに押し当たることができ、それによりシェル及び舌部をユーザの下肢周りにしっかりと閉じる。
【００６４】
１つのありふれた形式のクロージャシステムは、ケーブルを利用したシステムである。本明細書で用いられる「ケーブル」は、互いに引き寄せられるべき１対の互いに反対側のエッジ上に又はこれらに隣接して配置された１組のクロージャ要素（本明細書ではコンストリクタと呼ばれる場合がある）に沿うこれらを通る且つ／或いはこれらの中への引き回しを可能にする任意公知の柔軟性があり、可撓性があり、比較的薄く、細長く、引張可能な構造部材を意味する広義の用語である。幾つかの場合、クロージャ要素は、少なくとも、アイ列の一部分を構成する。したがって、適当なケーブルとしては、任意形態の靴又はブーツ用の締め紐、束になった金属繊維のケーブル又は非金属のケーブル、ストリング、コード、チェーン、皮革ストリップ等が挙げられる。ケーブルクロージャシステム中のクロージャシステムは、ケーブルを受け入れることができ又は違ったやり方でケーブルに作動的に係合することができるループ、フック、アイレット又は各構造部材であるのが良い。機械式クロージャシステムの他の構成の採用も又可能である。例えば、クロージャシステムは、バックル、ストラップ（例えば、ベルトスタイル又はベルクロ（Velcro（登録商標））スタイル）、クランプ等であって良い。
【００６５】
図示の代表的な実施形態では、ブーツの下肢用部分の前から下方に且つ足の頂部上を通ってブーツのトウ（つま先）領域まで延びる１組のクロージャ要素がシェル１２のエッジ１４に隣接して位置決めされるのが良い。スノーボード用ブーツ及び他の種類のブーツのためのクロージャシステムは、一般に、中心が下肢の前側及び足の頂部上に位置する場合が多い。これらクロージャシステムは、代表的には、かかる芯出しされた領域を実質的に越えて下肢及び足の側部まで延びてはいない。
【００６６】
他の例示の実施形態
【００６７】
本開示内容及び図面は、特定の実施形態の観点をそれぞれ説明すると共に図示しているが、他の実施形態を構成することができ、そして本発明の意図した範囲から逸脱することなく、構造的及び論理的変更を行うことができる。方法及び基準（例えば、上、下、頂部、底部、左側、右側、後方、前方等）は、図面の説明を容易にするために用いられているが、本発明を限定するものではない。例えば、或る特定の用語、例えば「上」、「下」、「上側」、「下側」、「水平」、「垂直」、「左側」、「右側」等が用いられている場合がある。かかる用語は、該当する場合、特に図示の実施形態に関して相対的な関係を取り扱う際に説明をある程度明らかにするために用いられている。しかしながら、かかる用語は、絶対的な関係、絶対的な位置及び／又は絶対的な向きを意味するものではない。例えば、物体に関し、「上側」の表面は、単に物品を逆さまにすることによって「下側」の表面になることができる。それにもかかわらず、この表面は、依然として同じ表面であり、物体は、同一のままである。原文明細書で用いられる“and/or”（翻訳文では「及び／又は」）という用語は、“and ”又は“or”、並びに“and ”且つ“or”であることを意味している。
【００６８】
本明細書において開示した原理を組み込むと、多種多様な保持システム形態を提供することが可能である。例えば、任意の特定の実施例に関して説明した特徴を他の実施例のうちの任意の１つ又は２つ以上に記載された１つ又は２つ以上の特徴と組み合わせることができる。したがって、この詳細な説明は、本発明を限定する意味に解されてはならず、本開示内容を再検討すると、当業者には、本明細書において説明した種々の技術的思想を用いて案出することができる多様な保持システムを理解することになろう。さらに、当業者であれば、本明細書において開示した例示の実施形態を開示した原理から逸脱することなく種々の形態に適合させることができるということは理解されよう。かくして、開示した原理を利用できる多くの考えられる実施形態を考慮すると、上述の実施形態は、例示に過ぎず、本発明の範囲を限定するものとして解されてはならない。したがって、特許請求の範囲が仮特許出願の必要な要素ではないにもかかわらず、本出願人は、以下の段落の範囲及び精神に属する全て並びに本願において図示し又は説明した任意の新規事項の全ての観点をクレーム請求する権利を含む本明細書に開示した内容に対する全ての権利を保有する。
【００６９】
本明細書に引用した任意の特許文献及び非特許文献を参照により引用し、これらの記載内容全体をあらゆる目的について本明細書の一部とする。
【００７０】
開示した実施形態の上述の説明は、当業者が開示した発明を構成し又は利用することができるようにするために提供されている。これら実施形態の種々の改造例は、当業者には容易に明らかであり、本明細書において定義した属概念としての原理は、本発明の精神又は範囲から逸脱することなく、他の実施形態に利用できる。かくして、原文特許請求の範囲に記載された本発明は、本明細書に示した実施形態には限定されるものではなく、特許請求の範囲の文言と一致した全範囲が与えられるべきであり、例えば冠詞“ａ”又は“an”の使用による単数で表された要素についての言及は、特段の指定がなければ、「１つ及び１つだけ」を意味するものではなく、「１つ又は２つ以上」を意味している。
【００７１】
既に知られており又は当業者に後で知られるようになる本明細書における開示全体にわたって説明した種々の実施形態の要素のあらゆる構造的及び機能的な均等例は、本明細書において説明すると共に特許請求の範囲に記載された特徴によって包含されるものとする。さらに、かかる開示が特許請求の範囲に明示的に記載されているかどうかとは無関係に、開示内容を公共財産とする旨は、本明細書中には記載されていない。原文特許請求の範囲において“means for ”又は“step for”という表現を用いて構成要素が明示的に記載されていなければ、米国特許法の下で「ミーンズ・プラス・ファンクション（means plus function ）」クレームとして解されるクレームエレメント（claim element ）はなんら存在しない。
【００７２】
本発明者は、本明細書に開示した保護対象に対する全ての権利を保有し、かかる権利は、添付の特許請求の範囲に記載された本発明の範囲及び精神に含まれる全ての事項をクレーム請求する権利を含む。
【図１】
2016500299.tif 000003
【図２】
2016500299.tif 000004
【図３】
2016500299.tif 000005
【図４】
2016500299.tif 000006
【図５】
2016500299.tif 000007
【図６】
2016500299.tif 000008
【図７】
2016500299.tif 000009
【図８】
2016500299.tif 000010
【図９】
2016500299.tif 000011
【図１０】
2016500299.tif 000012
【図１１】
2016500299.tif 000013
【手続補正書】
【提出日】平成27年8月7日(2015.8.7)
【手続補正１】
【補正対象書類名】特許請求の範囲
【補正対象項目名】全文
【補正方法】変更
【補正の内容】
【特許請求の範囲】
【請求項１】
履物用の保持システムであって、前記保持システムは、
互いに反対側のコンストリクタ及びテンショナを含み、前記テンショナは、該テンショナに加えられた引張力に応答して前記互いに反対側のコンストリクタを互いに向かって押圧するよう構成されており、
前記テンショナから間隔を置いて設けられた互いに反対側の第１のアンカと第２のアンカを含み、
互いに反対側の第１のリテーナカプラと第２のリテーナカプラを有するリテーナを含み、前記第１のリテーナカプラが前記第１のアンカに作動的に係合すると共に前記第２のリテーナカプラが前記第２のアンカに作動的に係合して前記第１のアンカと前記第２のアンカのうちの一方又は両方に加えられた引張荷重が前記リテーナを前記第１のアンカと前記第２のアンカのうちの一方又は両方に向かって押圧するようになっており、前記第１のリテーナカプラ及び前記第２のリテーナカプラの各々は、前記テンショナに加えられた引張荷重が前記第１のリテーナカプラ及び前記第２のリテーナカプラを押圧して引張状態にし、それにより前記リテーナを前記第１のアンカと前記第２のアンカのうちの一方又は両方に向かって押圧するよう前記テンショナに作動的に係合し、
前記互いに反対側の第１及び第２のアンカは、それぞれ、第１及び第２の有孔部材を有し、
前記リテーナは、舌部材の一部分を含み、前記互いに反対側の第１及び第２のリテーナカプラは、それぞれ、前記舌部材から前記有孔部材を貫通して外方に延びる第１及び第２のストラップセグメントを有し、
前記第１のリテーナカプラと前記テンショナとの前記作動的係合は、第１のストラップ部材と前記テンショナの第１の摺動可能な係合を含み、前記第２のリテーナカプラと前記テンショナとの前記作動的係合は、第２のストラップ部材と前記テンショナの第２の摺動可能な係合を含む、保持システム。
【請求項２】
前記互いに反対側のコンストリクタは、互いに反対側の第１のクロージャ要素と第２のクロージャ要素を有し、前記テンショナは、前記第１のクロージャ要素と前記第２のクロージャ要素との間に作動的に延びる締め紐を有し、前記締め紐に加えられた引張荷重が前記第１のクロージャ要素と前記第２のクロージャ要素を互いに向かって押圧するようになっており、
前記互いに反対側の第１及び第２のリテーナカプラは、それぞれ、第１及び第２のストラップセグメントを有し、前記互いに反対側の第１及び第２のアンカは、それぞれ、第１及び第２の有孔部材を有し、前記第１のリテーナと前記第１のアンカとの前記作動的係合は、前記第１のストラップセグメントが前記第１の有孔部材を貫通して延びて前記第１の有孔部材に押し当たる状態を含む、請求項１記載の保持システム。
【請求項３】
前記第１及び前記第２のクロージャ要素は、それぞれ、第１及び第２のアイ列を有し、前記互いに反対側の第１及び第２のアイ列、前記締め紐、並びに前記第１及び第２のストラップ部分は、前記履物を履いたときにユーザの足に対して前記リテーナの少なくとも一部分の内方に位置決めされる、請求項２記載の保持システム。
【請求項４】
前記互いに反対側のコンストリクタ、前記テンショナ、並びに前記第１及び第２のストラップセグメントは、前記履物を履いたときにユーザの足に対して前記舌部材の内方に位置決めされる、請求項１の記載の保持システム。
【請求項５】
前記互いに反対側のコンストリクタは、ハーネス部材のそれぞれの第１及び第２の互いに反対側のエッジに隣接して位置決めされた互いに反対側の第１及び第２のアイ列を有する、請求項１記載の保持システム。
【請求項６】
前記互いに反対側の第１及び第２のアンカは、前記履物を履いたときに前記第１及び前記第２のリテーナカプラがユーザの足に対して前記履物の内方に位置決めされるよう前記履物に固定的に結合されている、請求項１記載の保持システム。
【請求項７】
前記履物は、外側シェル部材を有し、前記ハーネス部材は、内側ハーネス部材を含み、前記互いに反対側の第１及び第２のアンカは、互いに対向した関係をなして前記外側シェルと前記内側ハーネス部材との間に位置決めされる、請求項１記載の保持システム。
【請求項８】
履物用の保持システムであって、前記保持システムは、
互いに反対側のコンストリクタ及びテンショナを含み、前記テンショナは、該テンショナに加えられた引張力に応答して前記互いに反対側のコンストリクタを互いに向かって押圧するよう構成されており、
前記テンショナから間隔を置いて設けられた互いに反対側の第１のアンカと第２のアンカを含み、
互いに反対側の第１のリテーナカプラと第２のリテーナカプラを有するリテーナを含み、前記第１のリテーナカプラが前記第１のアンカに作動的に係合すると共に前記第２のリテーナカプラが前記第２のアンカに作動的に係合して前記第１のアンカと前記第２のアンカのうちの一方又は両方に加えられた引張荷重が前記リテーナを前記第１のアンカと前記第２のアンカのうちの一方又は両方に向かって押圧するようになっており、前記第１のリテーナカプラ及び前記第２のリテーナカプラの各々は、前記テンショナに加えられた引張荷重が前記第１のリテーナカプラ及び前記第２のリテーナカプラを押圧して引張状態にし、それにより前記リテーナを前記第１のアンカと前記第２のアンカのうちの一方又は両方に向かって押圧するよう前記テンショナに作動的に係合し、
前記互いに反対側のコンストリクタは、内側クロージャ要素を有し、前記テンショナは、前記履物を履いたときにユーザの足に対して前記リテーナの内方に位置決めされる内側テンショナを含み、前記保持システムは、互いに反対側の外側クロージャ要素及び外側テンショナを更に含み、前記互いに反対側の外側クロージャ要素及び前記外側テンショナの各々は、前記履物を履いたときにユーザの足に対して前記リテーナの外方に位置決めされ、前記外側テンショナは、前記外側テンショナに加えられた引張荷重に応答して前記互いに反対側の外側クロージャ要素を互いに向かって押圧し、それにより前記内側テンショナに加えられた前記引張力の結果として前記ユーザの足に加えられる保持力を補うよう構成されている、保持システム。
【請求項９】
前記互いに反対側の外側クロージャ要素は、それぞれ、互いに反対側の第１及び第２の外側アイ列を有し、前記外側テンショナは、前記互いに反対側の第１及び第２の外側アイ列を貫通して作動的に延びる外側締め紐を有し、前記外側締め紐に加えられた引張荷重が前記第１の外側アイ列と前記第２の外側アイ列を互いに向かって押圧するようになっている、請求項８記載の保持システム。
【請求項１０】
前記内側クロージャ要素は、それぞれ、互いに反対側の第１及び第２の内側アイ列を有し、前記内側テンショナは、前記互いに反対側の第１及び第２の内側アイ列を貫通して作動的に延びる内側締め紐を有し、前記内側締め紐に加えられた引張荷重が前記第１の内側アイ列と前記第２の内側アイ列を互いに向かって押圧するようになっており、
前記互いに反対側の第１及び第２のリテーナカプラは、それぞれ、第１及び第２のストラップセグメントを有し、前記互いに反対側の第１及び第２のアンカは、それぞれ、第１及び第２の有孔部材を有し、前記第１のリテーナと前記第１のアンカとの前記作動的係合は、前記第１のストラップセグメントが前記第１の有孔部材を貫通して延びて前記第１の有孔部材に押し当たる状態を含む、請求項８記載の保持システム。
【請求項１１】
前記互いに反対側の第１及び第２のアンカは、それぞれ、第１及び第２の有孔部材を有し、
前記リテーナは、舌部材を有し、前記互いに反対側の第１及び第２のリテーナカプラは、それぞれ、前記舌部材から前記有孔部材を通って外方に延びる第１及び第２のストラップセグメントを有し、
前記第１のリテーナカプラと前記内側テンショナとの前記作動的係合は、前記第１のストラップ部材と前記内側テンショナとの摺動可能な係合を含み、第２のリテーナカプラと前記内側テンショナとの前記作動的係合は、前記第２のストラップ部材と前記内側テンショナとの第２の摺動可能な係合を含む、請求項８記載の保持システム。
【請求項１２】
前記第１及び前記第２のストラップ部分は、前記履物を履いたときにユーザの足に対して前記リテーナの少なくとも一部分の内方に位置決めされる、請求項１０記載の保持システム。
【請求項１３】
前記第１及び前記第２のストラップセグメントは、前記履物を履いたときにユーザの足に対して前記舌部材の内方に位置決めされる、請求項１１記載の保持システム。
【請求項１４】
前記内側クロージャ要素は、内側ハーネス部材の対応の第１及び第２の互いに反対側のエッジに隣接して位置決めされたそれぞれ互いに反対側の第１及び第２の内側アイ列を有し、前記内側ハーネス部材は、前記履物を履いたときにユーザの足に対して前記リテーナの少なくとも一部分の内方に位置決めされる、請求項８記載の保持システム。
【請求項１５】
前記互いに反対側の第１及び第２の記載のアンカは、前記履物を履いたときに前記第１及び前記第２のリテーナカプラがユーザの足に対して前記履物の内方に位置決めされるよう前記履物に固定的に結合されている、請求項８記載の保持システム。
【請求項１６】
前記履物は、外側シェル部材を有し、前記ハーネス部材は、内側ハーネス部材を含み、前記互いに反対側の第１及び第２のアンカは、互いに対向した関係をなして前記外側シェルと前記内側ハーネス部材との間に位置決めされる、請求項８記載の保持システム。
【国際調査報告】
2016500299.tif 000014